(57)【要約】【課題】  訂正記事が作成され、登録された際にも、無駄な記憶領域の消費をせずに、必要な情報だけを登録出来る仕組みを提供すること【解決手段】  記事情報が記憶された情報処理装置であって、ユーザにより作成された記事を入力し、入力された記事が、前記記憶された記事と同一の内容であるか否かを判定し、同一の内容の記事であると判定された場合、前記記憶された記事の版情報のみを更新する。【選択図】  図１
2012137875.tif 000002
【特許請求の範囲】
【請求項１】
記事情報が記憶された情報処理装置であって、
ユーザにより作成された記事を入力する記事入力手段と、
前記記事入力手段により入力された記事が、前記記憶された記事と同一の内容であるか否かを判定する記事内容判定手段と、
前記記事内容判定手段により同一の内容の記事であると判定された場合、前記記憶された記事の版情報を更新する版情報更新手段と、
を備えることを特徴とする情報処理装置。
【請求項２】
前記記事入力手段は、見出しデータと記事内容とから構成される記事を入力することを特徴とし、
前記情報処理装置は、
前記見出しデータが文字列であるか画像であるかを判定する見出し種別判定手段と、
前記見出し種別判定手段により見出しデータが画像であると判定された場合、当該画像である見出しデータに対応する文字列の設定を受け付ける文字列設定手段と、
をさらに備え、
前記記憶手段は、前記文字列設定手段により設定された文字列と、前記記事入力手段により入力された画像見出しデータとを対応付けて記憶することを特徴とする請求項１に記載の情報処理装置。
【請求項３】
前記情報処理装置は、
前記記事入力手段により入力された記事が訂正記事であるか否かを判定する訂正記事判定手段と、
前記訂正記事判定手段により訂正記事であると判定された場合、当該記事を訂正前の記事と対応付けて記憶する記憶手段と、
を備えることを特徴とする請求項１又は２に記載の情報処理装置。
【請求項４】
前記情報処理装置は、
前記記憶された記事の表示を制御する表示制御手段をさらに備え、
前記表示制御手段は、前記記憶手段により訂正前の記事と訂正記事とが対応付けて記憶された記事については、訂正前の記事および訂正記事を表示することを特徴とし、
前記版情報更新手段により、版情報の更新のみ行われた記事については、記事内容および当該版情報を表示することを特徴とする請求項１乃至３のいずれか１項に記載の情報処理装置。
【請求項５】
記事情報が記憶された情報処理装置における情報処理方法であって、
前記情報処理装置の記事入力手段が、ユーザにより作成された記事を入力する記事入力工程と、
前記情報処理装置の記事内容判定手段が、前記記事入力工程により入力された記事が、前記記憶された記事と同一の内容であるか否かを判定する記事内容判定工程と、
前記情報処理装置の版情報更新手段が、前記記事内容判定工程により同一の内容の記事であると判定された場合、前記記憶された記事の版情報を更新する版情報更新工程と、
を備えることを特徴とする情報処理方法。
【請求項６】
記事情報が記憶された情報処理装置において実行されるプログラムであって、
前記情報処理装置を、
ユーザにより作成された記事を入力する記事入力手段と、
前記記事入力手段により入力された記事が、前記記憶された記事と同一の内容であるか否かを判定する記事内容判定手段と、
前記記事内容判定手段により同一の内容の記事であると判定された場合、前記記憶された記事の版情報を更新する版情報更新手段として機能させることを特徴とするプログラム。
【発明の詳細な説明】
【技術分野】
【０００１】
本発明は、編集された記事を管理するための情報処理装置、情報処理方法、プログラムに関する。
【背景技術】
【０００２】
情報処理装置を用いて作成された新聞記事などを、ネットワークを介して利用者に配信することが、従来から行われている。
【０００３】
また、利用者からキーワード等により検索された記事を利用者端末に表示するサービスがある。
【０００４】
このようなサービスに関する仕組みとして特許文献１には、利用者に配信したことのある記事に関連する関連記事を、当該利用者に配信すべき記事として、確実に選択することが出来る仕組みが開示されている。
【先行技術文献】
【特許文献】
【０００５】
【特許文献１】特開２００５−２４２７５８号公報
【発明の開示】
【発明が解決しようとする課題】
【０００６】
しかし、新聞紙面全体についての訂正記事などが作成された際には、紙面全体の全ての記事が訂正記事としてデータベースに登録されることになる。
【０００７】
このような場合には、訂正されていない記事についても、同じ文面が訂正記事として登録されるため（二重で登録されるため）、記憶領域を無駄に消費することになる。
【０００８】
そこで、本発明は、訂正記事が作成され、登録された際にも、無駄な記憶領域の消費をせずに、必要な情報だけを登録出来る仕組みを提供することを目的とする。
【課題を解決するための手段】
【０００９】
本発明は、記事情報が記憶された情報処理装置であって、ユーザにより作成された記事を入力する記事入力手段と、前記記事入力手段により入力された記事が、前記記憶された記事と同一の内容であるか否かを判定する記事内容判定手段と、前記記事内容判定手段により同一の内容の記事であると判定された場合、前記記憶された記事の版情報を更新する版情報更新手段と、を備えることを特徴とする。
【００１０】
また、本発明は、記事情報が記憶された情報処理装置における情報処理方法であって、前記情報処理装置の記事入力手段が、ユーザにより作成された記事を入力する記事入力工程と、前記情報処理装置の記事内容判定手段が、前記記事入力工程により入力された記事が、前記記憶された記事と同一の内容であるか否かを判定する記事内容判定工程と、前記情報処理装置の版情報更新手段が、前記記事内容判定工程により同一の内容の記事であると判定された場合、前記記憶された記事の版情報を更新する版情報更新工程と、を備えることを特徴とする。
【００１１】
また、本発明は、記事情報が記憶された情報処理装置において実行されるプログラムであって、前記情報処理装置を、ユーザにより作成された記事を入力する記事入力手段と、前記記事入力手段により入力された記事が、前記記憶された記事と同一の内容であるか否かを判定する記事内容判定手段と、前記記事内容判定手段により同一の内容の記事であると判定された場合、前記記憶された記事の版情報を更新する版情報更新手段として機能させることを特徴とする。
【発明の効果】
【００１２】
本発明によれば、訂正記事が作成され、登録された際にも、無駄な記憶領域の消費をせずに、必要な情報だけを登録をすることが可能となる。
【図面の簡単な説明】
【００１３】
【図１】本発明の実施形態におけるシステム構成の一例を示す図である
【図２】記事編集装置１０１、記事配信装置１０２、クライアントＰＣ１０３に適用可能な情報処理装置のハードウエア構成を示す図である。
【図３】本発明の実施形態における見出し登録処理を示すフローチャートである
【図４】本発明の実施形態における訂正記事登録処理を示すフローチャートである
【図５】本発明の実施形態における記事検索処理を示すフローチャートである
【図６】記事配信装置１０２に記憶される記事ＤＢの一例を示す図である
【図７】ステップＳ３０６においてクライントＰＣ１０３に表示される画面の一例を示す図である
【図８】記事配信装置１０２の機能構成を示す機能ブロック図である
【発明を実施するための形態】
【００１４】
以下、図面を参照して本発明の実施形態を詳細に説明する。
【００１５】
図１は本発明を適用可能なシステム構成の一例を示すシステム構成図である。
【００１６】
本実施形態では、記事編集装置１０１と記事配信装置１０２とがネットワークを介して相互に通信可能に接続されている。
【００１７】
また、クライアントＰＣ１０３が広域ネットワーク１０５を介して、記事配信装置１０２と通信可能に接続されている。
【００１８】
以下、図２を用いて、図１に示した記事編集装置１０１、記事配信装置１０２、クライアントＰＣ１０３に適用可能な情報処理装置のハードウエア構成について説明する。
【００１９】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２０】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２１】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２２】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２３】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２４】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２５】
ハードウエア上で動作する各種プログラムは、外部メモリ２１１に記録されており、必要に応じてＲＡＭ２０２にロードされることによりＣＰＵ２０１によって実行されるものである。
【００２６】
なお、全ての装置がこれらの構成を備えているわけではなく、必要なものを夫々備えていればよい。
【００２７】
図３は、本発明の実施形態における、見出し登録処理を示すフローチャートである。
【００２８】
なお、図３のフローチャートで示すステップＳ１０１〜Ｓ１０３の処理は、記事編集装置１０１のＣＰＵ２０１が所定の制御プログラムを読み出して実行する処理である。
【００２９】
また、ステップＳ１０４〜Ｓ１１１の処理は、記事配信装置１０２のＣＰＵ２０１が所定の制御プログラムを読み出して実行する処理である。
【００３０】
ステップＳ１０１では、記事編集装置１０１のＣＰＵ２０１は、ユーザによる記事の作成を受け付ける。
【００３１】
なお、この際に、ユーザが作成する記事には見出しデータが付与される。見出しデータは、文字見出し（文字列として作成された見出し）の場合には、見出しである旨の情報が付与される。また、画像見出し（画像として作成された見出し）の場合には、見出しである旨の情報と当該画像に対応する文字列とが付与される。
【００３２】
ステップＳ１０２では、記事編集装置１０１のＣＰＵ２０１は、ステップＳ１０１でユーザにより作成された記事をテキストファイルとして書き出し、保存する。
【００３３】
ステップＳ１０３では、記事編集装置１０１のＣＰＵ２０１は、ステップＳ１０２で書き出されたテキストファイルを記事配信装置１０２へ送信する。
【００３４】
ステップＳ１０４では、記事配信装置１０２のＣＰＵ２０１は、ステップＳ１０３で記事編集装置１０１により送信された記事テキストファイルを取得する。
【００３５】
ステップＳ１０５では、記事配信装置１０２のＣＰＵ２０１は、ステップＳ１０４で取得した記事テキストファイルに見出しデータ（見出し記号）が含まれているか否かを判断する。すなわち、見出しのある記事であるか否かを判断する。
【００３６】
見出しデータが含まれていると判断すると（ステップＳ１０５：ＹＥＳ）、処理をステップＳ１０６に移行する。
【００３７】
見出しデータが含まれていないと判断すると（ステップＳ１０５：ＮＯ）、処理をステップＳ１１０に移行する。
【００３８】
ステップＳ１０６では、記事配信装置１０２のＣＰＵ２０１は、ステップＳ１０４で取得した記事テキストファイルに含まれる見出しデータが画像見出しであるか否かを判断する。
【００３９】
画像見出しであると判断すると（ステップＳ１０６：ＹＥＳ）、処理をステップＳ１０８に移行する。
【００４０】
画像見出しではない、すなわち文字列見出しであると判断すると（ステップＳ１０６：ＮＯ）、処理をステップＳ１０７に移行する。
【００４１】
ステップＳ１０７では、記事配信装置１０２のＣＰＵ２０１は、見出しデータを取得する。
【００４２】
ステップＳ１０８では、記事配信装置１０２のＣＰＵ２０１は、画像と見出しデータ（画像に対応する文字列）を取得する。
【００４３】
ステップＳ１０９では、記事配信装置１０２のＣＰＵ２０１は、ステップＳ１０７またはＳ１０８で取得した見出しデータ及び画像を、記事ＤＢに登録する。なお、見出しが画像見出しである場合（ステップＳ１０６：ＹＥＳ）には、当該画像と見出しデータ（画像に対応する文字列）とを対応付けて記事ＤＢに登録する。
【００４４】
図６に示す記事ＤＢの一例においては、「記事ＩＤ：１」の記事については、「画像フラグ：０」であり、文字見出しであることを示す。文字見出しであるため、「文字列」には何も登録されない。
【００４５】
「記事ＩＤ：２」の記事については、「画像フラグ：１」であり、画像見出しであることを示している。そのため、「文字列」には画像に対応する文字列が登録されている。
【００４６】
画像見出しの記事について、見出しを用いて検索する際には、この「文字列」に登録された文字列が検索対象となる。
【００４７】
ステップＳ１１０では、記事配信装置１０２のＣＰＵ２０１は、ユーザにより作成された記事の全てについて、ステップＳ１０５〜Ｓ１０９の処理が実行されたか否かを判断する。
【００４８】
全ての記事に対して処理が実行された場合（ステップＳ１１０：ＹＥＳ）は、処理をステップＳ１１１へ移行する。
【００４９】
処理が実行されていない記事がある場合（ステップＳ１１０：ＮＯ）は、処理をステップＳ１０３へ移行する。
【００５０】
ステップＳ１１１では、記事配信装置１０２のＣＰＵ２０１は、記事ＤＢを更新する。
【００５１】
以上の処理により、見出しが画像である記事については、画像に対応する文字列と画像とを対応付けて記事ＤＢに登録するため、記事の検索の際に、見出しが画像である記事についても検索することが可能となる。
【００５２】
図４は、本発明の実施形態における、訂正記事登録処理を示すフローチャートである。
【００５３】
なお、図４のフローチャートで示すステップＳ２０１〜Ｓ２０３の処理は、記事編集装置１０１のＣＰＵ２０１が所定の制御プログラムを読み出して実行する処理である。
【００５４】
また、ステップＳ２０４〜Ｓ２１１の処理は、記事配信装置１０２のＣＰＵ２０１が所定の制御プログラムを読み出して実行する処理である。
【００５５】
ステップＳ２０１では、記事編集装置１０１のＣＰＵ２０１は、ユーザによる記事の作成を受け付ける。
【００５６】
ステップＳ２０２では、記事編集装置１０１のＣＰＵ２０１は、ステップＳ２０１でユーザにより作成された記事をテキストファイルとして書き出し、保存する。
【００５７】
ステップＳ２０３では、記事編集装置１０１のＣＰＵ２０１は、ステップＳ２０２で書き出されたテキストファイルを記事配信装置１０２の記事ＤＢに保存する。なお、記事ＤＢに登録された際に、登録された記事について紙面ＩＤ、版ＩＤ、記事情報ＩＤが付与される。
紙面ＩＤは、紙面の種別を識別する情報である。
【００５８】
版ＩＤは、当該記事の版情報を示す情報である。すなわち、当該記事が訂正されるなどした場合は、版ＩＤが更新される。
記事情報ＩＤは、記事の内容を識別するための情報である。
【００５９】
ステップＳ２０４では、記事配信装置１０２のＣＰＵ２０１は、ステップＳ２０３で記事ＤＢに登録された記事について、紙面ＩＤ、版ＩＤ、記事情報ＩＤを取得する。
【００６０】
ステップＳ２０５では、記事配信装置１０２のＣＰＵ２０１は、記事ＤＢに登録されている他の記事のうち、ステップＳ２０３で登録された記事と紙面ＩＤが同じ紙面の記事を取得する。
【００６１】
ステップＳ２０６では、記事配信装置１０２のＣＰＵ２０１は、ステップＳ２０３で登録された記事とステップＳ２０５で取得した紙面に含まれる記事とを比較し、版ＩＤが異なる記事があるか否かを判断する。すなわち、ステップＳ２０３で登録された記事が、既存の記事の改訂版であるか否かを判断する。
【００６２】
版ＩＤが異なる記事があると判断された場合（ステップＳ２０６：ＹＥＳ）は、処理をステップＳ２０７に移行する。
【００６３】
版ＩＤが異なる記事がないと判断された場合（ステップＳ２０６：ＮＯ）は、処理をステップＳ２１１に移行する。
【００６４】
ステップＳ２０７では、記事配信装置１０２のＣＰＵ２０１は、ステップＳ２０６で版ＩＤが異なると判断された記事について、記事内容が異なるか否か（記事情報ＩＤが異なるか否か）を判断する。
【００６５】
記事内容が異なると判断された場合（ステップＳ２０７：ＹＥＳ）は、処理をステップＳ２０９に移行する。
【００６６】
記事内容が同一であると判断された場合（ステップＳ２０７：ＮＯ）は、処理をステップＳ２０８に移行する。
【００６７】
ステップＳ２０８では、記事配信装置１０２のＣＰＵ２０１は、ステップＳ２０３で記事ＤＢに登録された記事情報のうち、版情報のみを新たな記事の版情報に更新する。
【００６８】
すなわち、版だけが更新された記事であり、内容については訂正などがなされていないため、版情報のみ更新すればよい。そのため、記事内容については登録せず、版情報のみ更新する。
【００６９】
ステップＳ２０９では、記事配信装置１０２のＣＰＵ２０１は、版情報とともに、記事内容を記事ＤＢに登録する。すなわち、版情報が更新されるとともに、記事内容にも変更が加えられている（訂正記事である）ことから、記事内容についても記事ＤＢに登録する必要がある。
【００７０】
ステップＳ２１０では、記事配信装置１０２のＣＰＵ２０１は、ステップＳ２０６で版ＩＤが異なる記事があると判断された記事の全てに対して、ステップＳ２０７〜Ｓ２０９の処理が実行されたか否かを判断する。
【００７１】
全てに対して処理が実行されたと判断された場合（ステップＳ２１０：ＹＥＳ）は、本フローチャートの処理を終了する。
【００７２】
処理を実行していない記事があると判断された場合（ステップＳ２１０：ＮＯ）は、処理をステップＳ２０７に移行し、処理を実行していない記事に対してステップＳ２０７〜Ｓ２０９の処理を実行する。
【００７３】
ステップＳ２１１では、記事配信装置１０２のＣＰＵ２０１は、記事をＤＢに登録する。
【００７４】
以上の処理により、訂正記事等を記事ＤＢに登録した際に、記事内容が同じ記事の場合には、記事内容は登録せず更新された（新しい版が作成された）旨の情報のみを登録することにより、無駄な記憶領域の使用を減らすことが可能となる。
【００７５】
図５は、本発明の実施形態における、クライアントＰＣ１０３に記事検索の結果を表示する処理を示すフローチャートである。
【００７６】
なお、図５のフローチャートで示すステップＳ３０１〜Ｓ３０２、Ｓ３０６の処理は、クライアントＰＣ１０３のＣＰＵ２０１が所定の制御プログラムを読み出して実行する処理である。
【００７７】
また、ステップＳ３０３〜Ｓ３０５の処理は、記事配信装置１０２のＣＰＵ２０１が所定の制御プログラムを読み出して実行する処理である。
【００７８】
ステップＳ３０１では、クライアントＰＣ１０３のＣＰＵ２０１が、ユーザから記事検索の検索条件を受け付ける。
【００７９】
ステップＳ３０２では、クライアントＰＣ１０３のＣＰＵ２０１が、ステップＳ３０１で受け付けた検索条件によって記事配信装置１０２の記事ＤＢから記事を検索するために、当該検索条件を記事配信装置１０２へ送信する。
【００８０】
ステップＳ３０３では、記事配信装置１０２のＣＰＵ２０１は、ステップＳ３０２で送信された検索条件を受信する。
【００８１】
ステップＳ３０４では、記事配信装置１０２のＣＰＵ２０１は、ステップＳ３０３で受信した検索条件に従い、記事ＤＢに登録された記事を検索する。
【００８２】
ステップＳ３０５では、記事配信装置１０２のＣＰＵ２０１は、ステップＳ３０４で検索された結果をクライアントＰＣ１０３で表示するべく送信する。
【００８３】
ステップＳ３０６では、クライアントＰＣ１０３のＣＰＵ２０１は、ステップＳ３０５で送信された検索結果を受信し、表示する。
【００８４】
図６は記事配信装置１０２に記憶される記事ＤＢの一例を示す図である。
【００８５】
本実施形態における記事ＤＢは、記事ＩＤ、紙面ＩＤ、版ＩＤ、記事情報ＩＤ、テキストデータ、見出しデータ、画像フラグ、文字列とによって構成されている。なお、記事ＤＢの構成は、これに限られるものではなく、図６に示す全ての項目が含まれている必要はなく、また、他の項目が含まれていてもよい。
【００８６】
図７はステップＳ３０６でクライアントＰＣに表示される画面の一例である。
【００８７】
版が違うだけで記事内容が同じものは図７（Ａ）のように表示される。他方、新しい版において記事内容が訂正されている記事については、図７（Ｂ）のように表示される。
【００８８】
図８は、本発明の実施形態における記事配信装置１０２の機能構成を示す機能ブロック図である。
【００８９】
記事入力部８０１は、記事編集装置１０１を介してユーザにより作成された記事の入力をする機能を有する。
【００９０】
記事内容判定部８０２は、記事入力部８０１により入力された記事の内容が、記憶された記事の内容と同一であるか否かを判定する機能を有する。
【００９１】
版情報更新部８０３は、記事内容判定部８０２により同一の内容の記事が記憶されていると判定された場合、当該記憶されている記事の版情報を更新する機能を有する。
【００９２】
記憶部８０４は、記事情報が登録された記事ＤＢ（図６）を記憶する機能を有する。
【００９３】
以上の構成を備えることにより、記事内容について訂正が行われず新たな版が作成された記事については、版情報のみを更新し記事内容は記憶しないため、無駄な記憶領域の使用を防ぐことが可能となる。
【００９４】
また、見出しが画像により構成された記事において当該画像と文字列とを対応付けて記憶することにより、見出しが画像により構成された記事についても見出しにより検索することが可能となる。
【００９５】
なお、上述した各種データの構成及びその内容はこれに限定されるものではなく、用途や目的に応じて、様々な構成や内容で構成されることは言うまでもない。
【００９６】
また、本発明におけるプログラムは、図３〜図５の処理方法をコンピュータが実行可能なプログラムである。なお、本発明におけるプログラムは図３〜図５の各装置の処理方法ごとのプログラムであってもよい。
【００９７】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００９８】
この場合、記録媒体から読み出されたプログラム自体が本発明の新規な機能を実現することになり、そのプログラムを記録した記録媒体は本発明を構成することになる。
【００９９】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【０１００】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０１】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０２】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０３】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１０４】
１０１  記事編集装置
１０２  記事配信装置
１０３  クライアントＰＣ
１０４  ＬＡＮ
１０５  広域ネットワーク
【図１】
2012137875.tif 000003
【図２】
2012137875.tif 000004
【図３】
2012137875.tif 000005
【図４】
2012137875.tif 000006
【図５】
2012137875.tif 000007
【図６】
2012137875.tif 000008
【図７】
2012137875.tif 000009
【図８】
2012137875.tif 000010